(57)【要約】【課題】  従来のパラペット部防水構造は、断熱及び通気のことは一切考慮されていない。また、片流れ形の波形金属板葺屋根の換気構造の場合は、通気路等からの雨水の浸入を防止する雨仕舞いは一切考慮されていない等の問題があった。【解決手段】  平坦な外断熱通気屋根のパラペット部の雨仕舞いにおいて、パラペット部Ａの屋根材３上端側部に長手方向に通しで断面略Ｌ字型止水板１０を固着し、パラペット部Ａの外側上端から側部に渡って長手方向に通して、上端から側部に沿った形状に合わせて略Ｚ字型の止水板を固着し、パラペット部Ａ、断熱材２、屋根材３、両止水板１０、１３を覆い、笠木固定金具６を介して笠木５を両止水板１０、１３と若干の隙間をあけるように取り付け、屋根材３側の笠木側部と略Ｌ字型止水板１０上部に合成ゴム等のパッキン１４を隙間を形成しないように取り付けた外断熱通気屋根に立ち上げたパラペット部の防水通気を可能にした笠木。【選択図】図１
2005256474.tif 000002
【特許請求の範囲】
【請求項１】
平坦な外断熱通気屋根における、略直角に立ち上げた軽量コンクリート、鉄筋コンクリート、セラミック系不燃板等からなるパラペット部に隙間のないように断熱材を設け、さらにその表面一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を設けたパラペット部の雨仕舞いにおいて、パラペット部の屋根材上端側部に長手方向に通しで断面略Ｌ字型の止水板を固着し、コーキング等で防水処理を行い、前記パラペット部の外側上端から側部に渡って長手方向に通して、前記上端から側部に沿った形状に合わせて略Ｚ字型の止水板を固着し、パラペット部、断熱材、屋根材、両止水板を覆うように、笠木固定金具を介して笠木を両止水板と若干の隙間を形成するように取り付け、屋根材側の笠木側部と前記略Ｌ字型の止水板上部に合成ゴム等からなるパッキンを少しの隙間、または隙間を形成しないように取り付けたことを特徴とする外断熱通気屋根に略直角に立ち上げたパラペット部の防水通気を可能にした笠木。
【請求項２】
前記パラペット部の躯体側（外側）に位置する笠木側部にも、合成ゴム等からなるパッキンを略Ｚ字型の止水板上部に若干の隙間を形成するように取り付けたことを特徴とする請求項１記載の外断熱通気屋根に略直角に立ち上げたパラペット部の防水通気を可能にした笠木。
【請求項３】
平坦な外断熱通気屋根の上面に隙間のないように断熱材を敷設し、さらに略直角に立ち上げた軽量コンクリート、鉄筋コンクリート、セラミック系不燃板等からなるパラペット部を設け、このパラペット部に隙間のないように断熱材を設け、さらにその表面に屋根材を設け、該屋根材上端側部に長手方向に通しで断面略Ｌ字型の止水板を固着し、コーキング等で防水処理を行い、前記パラペット部の外側上端から側部に渡って長手方向に通して、前記上端から側部に沿った形状に合わせて略Ｚ字型の止水板をナイロンプラグ・ステンタッピングで固着し、パラペット部、断熱材、屋根材、両止水板を覆うように、笠木固定金具を介して笠木を両止水板と若干の隙間をあけるように取り付け、屋根材側の笠木側部と前記略Ｌ字型の止水板上部に合成ゴム等のパッキンを少しの隙間、または隙間を形成しないように取り付けることを特徴とする外断熱通気屋根に略直角に立ち上げたパラペット部の防水通気を可能にした笠木の取り付け工法。
【発明の詳細な説明】
【技術分野】
【０００１】
本発明は、平坦な外断熱通気屋根のパラペット部の防水を図るために工夫した、外断熱通気屋根に略直角に立ち上げたパラペット部の防水通気を可能にした笠木に関するものである。
【背景技術】
【０００２】
従来、陸屋根のパラペット上面にその長さ方向所要間隔に笠木取付部材を２点でビス止めし、この取付部材に笠木を嵌めて取付ける。パラペット前面の耐水性ボードは、取付部材にビス止めの上ホルダー及び押えコンクリートにビス止めの下ホルダーで支持する。上記ビスは、長孔を介してパラペット及び上ホルダーにねじ止めし、その一方の長孔が他方より長くしてある。この長孔を長くしたことにより、ビスの位置の選択幅が拡がり、その位置をパラペット上面の縁から所要長さ内側で十分に確保することができ、パラペットの縁が欠ける恐れもなく、取付部材の取付安定性もよい陸屋根のパラペット部防水構造（例えば、特許文献１参照）が存在している。
また、波形金属板が稜線を傾斜させて葺かれた片流れ形の波形金属板葺屋根の換気構造であって、水下側において、波形金属板の下面側を波形金属板の稜線方向に開放する通気口が設けられると共に、水上側において、パラペットと水切り板との間に、波形金属板の下面側を上方に開放する通気路が形成され、かつ、笠木が該通気路を通気可能に上方よりカバーして備えられてなることを特徴とする片流れ形の波形金属板葺屋根の換気構造（例えば、特許文献２参照）が存在している。
【特許文献１】実開平７−１３９３７号のマイクロフィルム（実用新案登録請求の範囲、考案の詳細な説明の欄の｛実施例｝の段落｛００１９｝〜｛００２７｝、図１、図２、図６）
【特許文献２】特開平１１−２７００８２号公報（特許請求の範囲、発明の詳細な説明の欄の｛発明の実施の形態｝の段落｛００１２｝〜｛００２０｝、図１、図２）
【発明の開示】
【発明が解決しようとする課題】
【０００３】
しかしながら、上記従来技術において、前者の特許文献１に示された陸屋根のパラペット部防水構造は、断熱及び通気のことについては一切考慮されたものではない。
また、後者の特許文献２に示された片流れ形の波形金属板葺屋根の換気構造の場合は、通気路等からの雨水の浸入を防止する雨仕舞いについては一切考慮されていない等の問題があった。
【課題を解決するための手段】
【０００４】
上記課題を解決するための本発明の第１発明は、請求項１に記載された通りの外断熱通気屋根に略直角に立ち上げたパラペット部の防水通気を可能にした笠木であり、次のようなものである。
平坦な外断熱通気屋根における、略直角に立ち上げた軽量コンクリート、鉄筋コンクリート、セラミック系不燃板等からなるパラペット部に隙間のないように断熱材を設け、さらにその表面一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を設けたパラペット部の雨仕舞いにおいて、パラペット部の屋根材上端側部に長手方向に通しで断面略Ｌ字型の止水板を固着し、コーキング等で防水処理を行い、前記パラペット部の外側上端から側部に渡って長手方向に通して、前記上端から側部に沿った形状に合わせて略Ｚ字型の止水板を固着し、パラペット部、断熱材、屋根材、両止水板を覆うように、笠木固定金具を介して笠木を両止水板と若干の隙間を形成するように取り付け、屋根材側の笠木側部と前記略Ｌ字型の止水板上部に合成ゴム等からなるパッキンを少しの隙間、または隙間を形成しないように取り付ける構成である。
【０００５】
上記課題を解決するための本発明の第２発明は、請求項２に記載された通りの外断熱通気屋根に略直角に立ち上げたパラペット部の防水通気を可能にした笠木であり、次のようなものである。
請求項１記載の外断熱通気屋根に略直角に立ち上げたパラペット部の防水通気を可能にした笠木に加えて、前記パラペット部の躯体側（外側）に位置する笠木側部にも、合成ゴム等からなるパッキンを略Ｚ字型の止水板上部に若干の隙間を形成するように取り付ける構成である。
【０００６】
上記課題を解決するための本発明の第３発明は、請求項３に記載された通りの外断熱通気屋根に略直角に立ち上げたパラペット部の防水通気を可能にした笠木の取り付け工法であり、次のようなものである。
平坦な外断熱通気屋根の上面に隙間のないように断熱材を敷設し、さらに略直角に立ち上げた軽量コンクリート、鉄筋コンクリート、セラミック系不燃板等からなるパラペット部を設け、このパラペット部に隙間のないように断熱材を設け、さらにその表面に屋根材を設け、該屋根材上端側部に長手方向に通しで断面略Ｌ字型の止水板を固着し、コーキング等で防水処理を行い、前記パラペット部の外側上端から側部に渡って長手方向に通して、前記上端から側部に沿った形状に合わせて略Ｚ字型の止水板をナイロンプラグ・ステンタッピングで固着し、パラペット部、断熱材、屋根材、両止水板を覆うように、笠木固定金具を介して笠木を両止水板と若干の隙間をあけるように取り付け、屋根材側の笠木側部と前記略Ｌ字型の止水板上部に合成ゴム等のパッキンを少しの隙間、または隙間を形成しないように取り付ける笠木の取り付け工法である。
【発明の効果】
【０００７】
本発明に係る外断熱通気屋根に略直角に立ち上げたパラペット部の防水通気を可能にした笠木及びその笠木取り付け工法は、上記説明のような構成であるので、以下に記載する効果を奏する。
（１）平坦な外断熱通気屋根において、外壁や屋上パラペット部の立上り端部は、常に目まぐるしく変化する自然の猛威である雨、雷、風、雪、湿気や太陽光線等にさらされて悪影響がある。この雨等が通気路から浸入して建物に害を及ぼす。これを防止するために、躯体及びパラペット部の防水層端部の劣化を防ぐ防水手段を施し、耐久性のある防水保護機能を持たせることができる。
【発明を実施するための最良の形態】
【０００８】
軽量コンクリート、鉄筋コンクリート、セラミック系不燃板等からなる平坦屋根及びその屋根のパラペット部の面に、隙間のないように断熱材を敷設し、さらに略直角に立ち上げた軽量コンクリート、鉄筋コンクリート、セラミック系不燃板等からなるパラペット部も同様に隙間のないように断熱材を設け、さらにその表面一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材を設けたパラペット部の雨仕舞いにおいて、パラペット部の屋根材上端側部に長手方向に通しで断面略Ｌ字型の止水板を固着し、コーキング等で防水処理を行い、前記パラペット部の外側上端から側部に渡って長手方向に通して、前記上端から側部に沿った形状に合わせて略Ｚ字型の止水板をナイロンプラグ・ステンタッピングで固着し、パラペット部、断熱材、屋根材、両止水板を覆うように、笠木固定金具を介して笠木を両止水板と若干の隙間を形成するように取り付け、屋根材側の笠木側部と前記略Ｌ字型の止水板上部に合成ゴム等からなるパッキンを隙間を形成しないように取り付け、さらにパラペット部の躯体側（外側）に位置する笠木側部にも、合成ゴム等からなるパッキンを略Ｚ字型の止水板上部に若干の隙間を形成するように取り付けた外断熱通気屋根に略直角に立ち上げたパラペット部の防水通気を可能にした笠木。
【実施例】
【０００９】
図１は、平坦な外断熱通気屋根のパラペット部に笠木固定金具、調整ライナー等を介して笠木を取り付けた所を示す断面図、図２は、平坦な外断熱通気屋根のパラペット部の笠木を取り付ける取付固定金具の割付図である。
【００１０】
本発明は、新築でも補修の屋根でも現在社会的に問題視されている内断熱が引き起こすカビ等の健康上の問題解決及び、軽量コンクリート、鉄筋コンクリート等が温潤状態に置かれていることを改善する上で、外断熱を採用して通気を考慮し、建築物そのものの長寿命化、また寒暖の温度差に対して、理想的な住環境を可能にした、雨等の自然の猛威に対して防水をより高めた、特に勾配のない平坦な陸屋根構造の外断熱通気屋根における略直角に立ち上げたパラペット部の防水通気を可能にした笠木を提供するものである。
【００１１】
本発明は、中低層の陸屋根（勾配３／１００以下）である建築物の屋根に対する外断熱通気を行えるようにした平坦な外断熱通気屋根のパラペット部の防水処理を施したものである。
【００１２】
ここで、外断熱と内断熱の違いを簡単に記述すると、
外断熱の場合は、水蒸気圧の違いにより水蒸気は、室内から外側に向って移動しようとするが、室内側の一番近いところに透湿抵抗の大きいコンクリート壁があるため、室内側の水蒸気はそこで塞ぎ止められる。このとき、コンクリートの温度は室内温度と同調するため結露は発生しない。この際、わずかながらもコンクリートを透湿した水蒸気は、外側にあるグラスウール等のほとんど透湿抵抗のない断熱材の中を通過して、通気層から外部へ排出されるものである。
内断熱の場合は、水蒸気圧の違いにより水蒸気は、コンクリートの内側にある断熱材→コンクリート→外装面へと透湿していく。このとき、透湿抵抗の大きいコンクリートが断熱材の外側つまり冷たい側にあるため、コンクリートと断熱材の境界面まで大きな水蒸気圧が働くことになる。よって水蒸気圧により水蒸気が移動し、断熱材の中を透湿する際に、断熱材の温度の低い部分が露点温度となった時、水蒸気は水に変わってしまう（結露水は内装側に移動してカビやダニが発生する原因となる）。
【００１３】
ここで、前記した外断熱と内断熱の内、より良い外断熱方式を採用したものを具体的に説明する。
図１、図２に基づいて本発明の外断熱通気屋根に略直角に立ち上げたパラペット部の防水通気を可能にした笠木を詳細に説明すると、軽量コンクリート、鉄筋コンクリート、セラミック系不燃板等からなる平坦屋根及びその屋根のパラペット部Ａの面に、隙間のないように断熱材２を敷設し、さらにその表面に、一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材３を敷設し、この屋根材３の敷設を脚状リブ間の空隙と直交するように適宜長さ毎に間隙を設けるように連結し、さらに略直角に立ち上げた軽量コンクリート、鉄筋コンクリート、セラミック系不燃板等からなるパラペット部も同様に隙間のないように断熱材２を設け、さらにその表面に屋根材３を設け、このパラペット部Ａにおける鉄筋コンクリート等の躯体１と前記断熱材２と前記屋根材３の上端を覆うように、笠木５を被せる外断熱通気屋根に略直角に立ち上げたパラペット部Ａの防水通気を可能にした笠木である。
【００１４】
以下、本発明について、図１に基づいて詳細に説明すると、鉄筋コンクリート等の躯体１に隙間のないように断熱材（例えばグラスウール等）２を敷設し、立ち上がった上端を覆うようにアングル材を複数本使用して、例えば図示のように重ね合わせて前記躯体１と一端部に屋根板下面支持縁を有する脚状リブ部を形成するとともに他端部に脚状リブ部嵌合用折曲縁、または屋根板下面支持縁重合縁を形成し、前記脚状リブ部に前記折曲縁を嵌合し、または前記屋根板下面支持縁に前記屋根板下面支持縁重合縁を重合した屋根材３及びアングル材１５同士をボルト締めし、さらに前記屋根材３に防水（例えば、アスファルト等を塗布）を施したパラペット部Ａの上端を雨仕舞いするように、前記躯体１の上端に調整ライナー７を介して、笠木固定金具６を取り付け、この笠木固定金具６に笠木５を押し込み被せるものである。
【００１５】
なお、この際、笠木５と躯体１の上部側端面との隙間Ｂを少なくするように躯体１の上端部に調整ライナー７と一緒に各笠木固定金具６の取付位置を決め、電動ドリル等で孔を開け、各孔にナイロンプラグ・ステンレスタッピングネジ等の固定具９で笠木固定金具６をセットし、ナイロンプラグ・ステンレスタッピングネジ等の固定具９で躯体１に固定する略Ｚ字型止水板１３の隙間Ｂを少なくするものである。また、屋根材３の上方側部に笠木５と屋根材３との隙間Ｃを少なくするために、略Ｌ字型止水板１０を止水板押えアングル１１を介してボルト等で固定し、一部をコーキング材１２でコーキングする。
【００１６】
以上のような構成を有しているが、屋根材３の部分に通気路８が形成されているために、雨が激しい場合等は、止水板１０を設けても吹き上げ現象で通気路８を通じて雨水が浸入して建物の内部に入ってしまう。これを防止するために笠木５の側部内側にクロロプレンゴム（ＣＲ）、エチレン、プロピレン、ジエン、メチレンゴム（ＥＰＤＭ）等の合成ゴムを特に屋根材（通気路側）３側に向けて取り付ける。これは略Ｌ字型止水板１０の水平部に設けた合成ゴム等からなるパッキン１６の上方、または側方で少しの隙間ができるようにするか、重なるように設けた合成ゴム等からなるパッキン１４を取り付ける。さらに、より防水効果を上げる上で、躯体１側の笠木５の側部内側に前記と同様な躯体１側に向けて合成ゴム等からなるパッキン１４を略Ｚ字型止水板１３の水平部の上方に設け、このゴムパッキン１４は略Ｚ型止水板１３との間に少しの隙間ができるように設けられる。
【００１７】
このような構成を有することで、雨が浸入しようとしても通気路が何回も曲折し、しかもその隙間が小さかったり、ほとんどないため、通気路８まで到達するということは、ほとんどないように解消されたものである。
なお、図２に示したものは、笠木５を取り付ける笠木固定金具６の割付の一例を示す説明図で、笠木５の継ぎ部と笠木固定金具６の割付けを示すものである。
【産業上の利用可能性】
【００１８】
鉄骨構造物等において、平坦屋根だけでなく、傾斜した屋根や壁にも簡単に応用して利用することができる。
【図面の簡単な説明】
【００１９】
【図１】本発明の一実施例に係る外断熱通気屋根に略直角に立ち上げたパラペット部の防水通気を可能にした笠木を示す断面図である。
【図２】外断熱通気屋根のパラペット部に笠木を取り付ける固定金具の割付図である。
【符号の説明】
【００２０】
１・・・・躯体｛梁、母屋、コンクリート（ＡＬＣ）｝
２・・・・断熱材
３・・・・屋根材
４・・・・防水層
５・・・・笠木
６・・・・笠木固定金具
７・・・・調整ライナー
８・・・・通気路
９・・・・固定具
１０・・・・略Ｌ字型止水板
１１・・・・押えアングル
１２・・・・コーキング材
１３・・・・略Ｚ字型止水板
１４・・・・パッキン
１５・・・・アングル材
１６・・・・パッキン
Ａ・・・・パラペット部
Ｂ・・・・隙間
Ｃ・・・・隙間
【図１】
2005256474.tif 000003
【図２】
2005256474.tif 000004